(57)【要約】【課題】不正用器具を筐体内部に挿入して不正に遊技を行う不正行為を防止する。【解決手段】回胴式遊技機１は、遊技メダルが流下する通路、及び遊技メダルを検知する投入センサ３００〜３０２を具備するメダルセレクタ１０６と、メダルセレクタ１０６の上方にて筐体３外部とセレクタ入口部１０６ａとの連通を遮断するように配置された移送部材１３１、及び移送部材１３１を回転させる回転機構で構成されるメダル移送装置１３０等を備える。メダル移送装置１３０は、筐体３外部と開口部１０６ｂとを連通させる挿入位置に凹部１３１ａが位置するときに、遊技メダルを開口部１０６ｂに挿入可能とし、開口部１０６ｂに遊技メダルを挿入した状態で移送部材１３１を回転させ、凹部１３１ａを挿入位置から移動させることで、セレクタ入口部１０６ａと開口部１３１ｂとを連通させ、凹部１３１ａ内の遊技メダルをセレクタ入口部１０６に移送する。【選択図】図３
2010268946.tif 000002
【特許請求の範囲】
【請求項１】
所定数の遊技メダルを筐体内部に投入して複数の回胴を回転させ、該回胴が停止したときに所定の図柄組合せが成立することで、該図柄組合せの種類に応じた所定の特典を遊技者に付与する遊技を行う回胴式遊技機において、
前記筐体内部に設けられ、投入された遊技メダルが流下する流下部と、該流下部を流下する遊技メダルを検知する検知部と、を具備するメダルセレクタと、
外周に遊技メダルを挿入可能な開口部を有する凹部が形成された移送部と、前記移送部を所定方向に回転させる回転機構部とで構成されたメダル移送装置と、を備え、
前記移送部は、前記メダルセレクタの上方において、前記筐体外部と前記流下部の入口との連通を遮断するように配置されており、
前記メダル移送装置は、
前記筐体外部と前記開口部とを連通させる挿入位置に前記凹部が位置するときに、遊技メダルを前記開口部に挿入可能とし、
前記開口部に遊技メダルを挿入した状態で前記移送部を回転させ、前記凹部を前記挿入位置から移動させることで、前記流下部の入口と前記開口部とを連通させ、前記開口部内の遊技メダルを前記流下部に移送することを特徴とする回胴式遊技機。
【請求項２】
前記移送部は、一方向に回転可能に構成されていることを特徴とする請求項１に記載の回胴式遊技機。
【請求項３】
前記移送部は、前記凹部が前記挿入位置に位置するときに、前記開口部が前記筐体外部から視認可能なように配置され、前記開口部に直接遊技メダルを投入可能に構成されていることを特徴とする請求項１または２に記載の回胴式遊技機。
【請求項４】
前記移送部は、前記筐体内部に配置され、前記凹部が前記挿入位置に位置するときに、前記筐体内部に投入された遊技メダルを前記開口部に挿入可能に構成されていることを特徴とする請求項１または２に記載の回胴式遊技機。
【請求項５】
前記移送部の外周には、前記凹部が複数形成されていることを特徴とする請求項１ないし４のいずれか１つに記載の回胴式遊技機。
【請求項６】
前記開口部は、複数の遊技メダルを挿入可能に構成されていることを特徴とする請求項１ないし５のいずれか１つに記載の回胴式遊技機。
【発明の詳細な説明】
【技術分野】
【０００１】
本発明は、メダルを用いて遊技を行う回胴式遊技機（スロットマシン）に関する。
【背景技術】
【０００２】
従来より、回胴式遊技機は、メダル投入部から投入されたメダルを選別するためのメダルセレクタを備えている。メダルセレクタは、その内部にメダル検知手段（メダル検出センサ）が設けられており、メダル検知手段がメダルの通過を有効に検出することで、遊技の進行を許可している。
【０００３】
しかしながら、このようなメダルセレクタを備える回胴式遊技機では、例えば、先端部分に発光素子を有する長板状の不正用器具（いわゆるクレマン器具等）を、メダル投入部から挿入し、メダル検知手段の付近で発光素子を発光させることで、メダルが投入されていないにも拘らず、あたかもメダルが投入されたかのような状況を実現して、メダル検知手段の誤検知を誘発させて不正に遊技を行う不正行為が問題となっている。
【０００４】
このような不正用器具を用いた不正行為の対策として、メダルセレクタ内に特性の異なる複数のメダル検知手段を設けた回胴式遊技機が知られている（例えば、特許文献１参照）。
【先行技術文献】
【特許文献】
【０００５】
【特許文献１】特開２００５−２８７９４３号公報
【発明の概要】
【発明が解決しようとする課題】
【０００６】
しかしながら、特許文献１に記載の回胴式遊技機では、依然としてメダル投入部から不正用器具を挿入可能な構成となっており、不正対策を攻略する新たな不正用器具が不正行為者により改良されると、不正行為を防ぐことができないおそれがある。
【０００７】
本発明は上記点に鑑みて、不正用器具を筐体内部に挿入して不正に遊技を行う不正行為を防止することを目的とする。
【課題を解決するための手段】
【０００８】
上記目的を達成するため、請求項１に記載の発明では、所定数の遊技メダルを筐体内部に投入して複数の回胴を回転させ、該回胴が停止したときに所定の図柄組合せが成立することで、該図柄組合せの種類に応じた所定の特典を遊技者に付与する遊技を行う回胴式遊技機において、筐体内部に設けられ、投入された遊技メダルが流下する流下部と、該流下部を流下する遊技メダルを検知する検知部と、を具備するメダルセレクタと、外周に遊技メダルを挿入可能な開口部を有する凹部が形成された移送部と、移送部を所定方向に回転させる回転機構部とで構成されたメダル移送装置と、を備え、移送部は、メダルセレクタの上方において、筐体外部と流下部の入口との連通を遮断するように配置されており、メダル移送装置は、筐体外部と開口部とを連通させる挿入位置に凹部が位置するときに、遊技メダルを開口部に挿入可能とし、開口部に遊技メダルを挿入した状態で移送部を回転させ、凹部を挿入位置から移動させることで、流下部の入口と開口部とを連通させ、開口部内の遊技メダルを流下部に移送することを特徴としている。
【０００９】
このような構成であれば、筐体外部とメダルセレクタの流下部の入口との連通を遮断するように配置された移送部を回転させることで、筐体外部と流下部の入口との連通を遮断した状態のまま、投入された遊技メダルをメダルセレクタの流下部に移送することができる。つまり、遊技者が長板状の不正用器具を挿入しようとしても、不正用器具を物理的にメダルセレクタの検知部まで到達させることができない。
【００１０】
従って、不正用器具を筐体内部に挿入して不正に遊技を行う不正行為を防止することができる。
【００１１】
ここで、移送部を逆回転可能に構成した場合、柔軟に変形可能な材料にて構成された不正用器具を凹部に挿入して移送部とともに一方向に回転させた後、移送部を逆回転させると、不正用器具を移送部の凹部から回収することができてしまう。
【００１２】
そこで、請求項２に記載の発明では、請求項１に記載の回胴式遊技機において、移送部が一方向に回転可能に構成されていることを特徴としている。
【００１３】
これによれば、不正用器具が移送部に絡まり、移送部の凹部から回収することが困難となるので、より確実に不正行為を防止することができる。
【００１４】
また、請求項３に記載の発明では、請求項１または２に記載の回胴式遊技機において、移送部は、凹部が挿入位置に位置するときに、開口部が筐体外部から視認可能なように配置され、開口部に直接遊技メダルを投入可能に構成されていることを特徴としている。
【００１５】
これによれば、遊技者に対して筐体外部とメダルセレクタの流下部の入口との連通が遮断されていること（不正用器具の挿入が物理的に不可能であると）を一目で認識させることができ、不正行為の実施を早期に断念させることが期待できる。
【００１６】
また、請求項４に記載の発明では、請求項１または２に記載の回胴式遊技機において、移送部は、筐体内部に配置され、凹部が挿入位置に位置するときに、筐体内部に投入された遊技メダルを開口部に挿入可能に構成されていることを特徴としている。
【００１７】
このように、筐体内部に移送部を配置する場合には、回胴式遊技機の外観上の変更がないため、遊技機の外観変更によって、遊技者が視覚的な違和感を抱いてしまうことを抑制することができる。
【００１８】
また、請求項５に記載の発明のように、請求項１ないし４のいずれか１つに記載の回胴式遊技機において、移送部の外周に凹部が複数形成されている構成とすることで、遊技メダルの移送効率を向上させることができる。
【００１９】
また、請求項６に記載の発明のように、請求項１ないし５のいずれか１つに記載の回胴式遊技機において、開口部を複数の遊技メダルを挿入可能に構成することで、遊技メダルの移送効率を向上させることができる。
【発明の効果】
【００２０】
本願発明によれば、不正用器具を筐体内部に挿入して不正に遊技を行う不正行為を防止することができる。
【図面の簡単な説明】
【００２１】
【図１】第１実施例の回胴式遊技機の正面図である。
【図２】図１の回胴式遊技機の前面扉を開いた状態を示す斜視図である。
【図３】第１実施例のメダル移送装置の斜視図である。
【図４】第１実施例のメダル移送装置の移送部材を説明する説明図である。
【図５】第１実施例の移送部材の回転を説明する説明図である。
【図６】メダルセレクタの側面図である。
【図７】遊技メダルの通過を検知した際の各投入センサの出力変化を示すタイミングチャートである。
【図８】回胴式遊技機の電気的構成を示す説明図である。
【図９】第１実施例のメダル移送装置の作動を説明する説明図である。
【図１０】第２実施例の回胴式遊技機の正面図である。
【図１１】第２実施例のメダル移送装置の斜視図である。
【図１２】第２実施例のメダル移送装置の移送部材を説明する説明図である。
【図１３】第２実施例のメダル移送装置の作動を説明する説明図である。
【発明を実施するための形態】
【００２２】
（第１実施例）
以下、本発明を回胴式遊技機に適用した第１実施例について説明する。
【００２３】
図１は、本実施例の回胴式遊技機１（以下、単に「遊技機１」ともいう。）の正面図である。本明細書中において、「右」および「左」は、遊技機１の正面からみた位置関係を示している。
【００２４】
図１に示すように、遊技機１は、箱状に形成された筐体３と、筐体３の前面側を覆うようにして設けられた前面扉２と、遊技メダルを貸し出すためのメダル貸出装置４とが設けられている。前面扉２は、遊技の進行に応じた演出が行われる上段の領域２ｕと、遊技メダルが払い出される下段の領域２ｄと、遊技が行われる中段の領域の大きく３つの領域から構成され、更に中段の領域は、遊技状態を表示するための遊技状態表示部２ｍａと、遊技を行うための操作部２ｍｂとから構成されている。
【００２５】
上段の領域２ｕには、中央に演出表示装置１０が設けられ、演出表示装置１０の左右にはスピーカ１４が設けられ、演出表示装置１０およびスピーカ１４の上方には、各種のランプ類１２が設けられている。演出表示装置１０は、いわゆる液晶表示装置によって構成されており、遊技の進行状況に合わせて種々の図柄を表示して演出を行うことが可能となっている。
【００２６】
前面扉２の中段に設けられた遊技状態表示部２ｍａの中央には、大きな表示窓２０が設けられており、内部に設けられた３つの回胴２０ａ、２０ｂ、２０ｃが回転する様子を視認可能となっている。表示窓２０の左方には、遊技メダルの投入枚数に応じて表示される投入枚数表示ランプ２２が設けられ、表示窓２０の右方には、演出内容を表示する中間ランプ２３が設けられている。表示窓２０の下方には、貯留されている遊技メダルの枚数を表示する貯留枚数表示器２４と、遊技状態を表示する遊技状態表示器２５と、遊技メダルの払出し枚数を表示する払出枚数表示器２６が設けられている。
【００２７】
前面扉２の中段下方に設けられた操作部２ｍｂは、手前に向かって突出した形状に形成されている。操作部２ｍｂの上面には、遊技者が遊技メダルを投入するための遊技メダル投入部が設けられている。本実施例のメダル投入部は、後述するメダル移送装置１３０の移送部材１３１の外周部に形成された凹部１３１ａの開口部１３１ｂにて構成されている。さらに、操作部２ｍｂの上面には、クレジットとして貯留されている遊技メダルを１枚だけ投入するための一枚投入ボタン３２、貯留されている遊技メダルを３枚投入するための三枚投入ボタン３４、後述するメダル移送装置１３０の移送部材（移送部）１３１を回転させて遊技メダルを下方に移送するためのメダル移送ボタン３９などが設けられている。遊技メダルの貯留とは、規定数（本実施例では３枚）を超えて投入された遊技メダルの枚数をデータ化して記憶したり、遊技メダルを実際に払い出す代わりに払出枚数をデータ化して記憶したりしておくこと（いわゆるクレジットのこと）をいう。
【００２８】
操作部２ｍｂの前面には、遊技メダルの投入後に回胴２０ａ、２０ｂ、２０ｃの回転を開始するためのスタートレバー３６と、３つの回胴２０ａ、２０ｂ、２０ｃの回転をそれぞれ停止させるための回胴停止ボタン３８ａ、３８ｂ、３８ｃなどが設けられている。なお、回胴停止ボタン３８ａ、３８ｂ、３８ｃが本発明の停止操作手段に相当している。
【００２９】
また、操作部２ｍｂには、上面に精算ボタン４０が設けられ、前面に返却ボタン４２が設けられている。ここで、精算ボタン４０とは、遊技機１の内部に貯留されている遊技メダルを外部に払い出す際に操作するボタンである。また、返却ボタン４２とは、投入した遊技メダルが遊技機１の内部で詰まった場合に、メダルの詰まりを解消するために操作されるボタンである。
【００３０】
前面扉２の下段の領域２ｄには、遊技メダルが払い出される遊技メダル払出口５０と、払い出された遊技メダルを受け止める受け皿５２などが設けられている。
【００３１】
図２は、前面扉２を開いて遊技機１の内部の構成を示した斜視図である。前面扉２の裏面側上部には、サブ制御基板ユニット１０２が設けられており、その左右にはスピーカ１４が取り付けられている。サブ制御基板ユニット１０２の内部には、後述するサブ制御基板２２０が格納されている。サブ制御基板２２０は、図１に示した演出表示装置１０や、各種ランプ類１２、スピーカ１４などを用いて行われる各種演出の制御を司っている。
【００３２】
前面扉２のほぼ中央には表示窓２０が設けられており、その下方には、後述する扉基板２４０が格納された扉基板ユニット１０４が設けられ、扉基板ユニット１０４の下方に、遊技者が投入した遊技メダルを筐体３内部に移送するメダル移送装置１３０、メダル移送装置１３０により移送された遊技メダルを選別するメダルセレクタ１０６、遊技メダル払出口５０に導くためのコインシュータ１０８などが取り付けられている。
【００３３】
メダル移送装置１３０は、遊技メダル投入部を構成する移送部材１３１の凹部１３１ａに投入された遊技メダルを、下方に配置されたメダルセレクタ１０６へと移送するためのメダル移送手段を構成している。メダル移送装置１３０の詳細については後述する。
【００３４】
メダルセレクタ１０６は、メダル移送装置１３０により移送された遊技メダルがメダルセレクタ１０６内部のメダル通路（流下部）を流下する際、遊技メダルを主に寸法に基づいて選別し、規格寸法に適合した遊技メダルだけを受け入れる機能を有している。遊技者がスタートレバー３６を操作する前に遊技メダルを投入すると、遊技メダルはメダルセレクタ１０６によって選別され、規格を満足しているものだけがタンク１１６内に投入され、規格を満たしていないメダルは、コインシュータ１０８を通って、遊技メダル払出口５０に返却されるようになっている。また、タンク１１６が満タンの場合には、遊技メダルはメダルセレクタ１０６によって遊技メダル補助収納庫１１７に投入される。これに対して、スタートレバー３６が操作された後に遊技メダルが投入された場合は、メダルセレクタ１０６内の通路が切り換わり、投入された遊技メダルはコインシュータ１０８を通って、遊技メダル払出口５０に返却される。また、メダルセレクタ１０６の内部には、メダル通路（流下部）を流下する遊技メダルを検知する検知部を構成する投入センサ３００〜３０２（図３参照）が設けられており、寸法規格を満たして受け入れられた遊技メダルは投入センサ３００〜３０２によって検出され、検出信号が後述する主制御基板２００に供給されるようになっている。
【００３５】
筐体３のほぼ中央には、３つの回胴２０ａ、２０ｂ、２０ｃが設けられており、各回胴２０ａ〜２０ｃの外表面には、複数種類の図柄が表示されている。いずれの回胴２０ａ〜２０ｃについても表示されている図柄の種類は同じであるが、図柄の配列順序は回胴２０ａ〜２０ｃ毎に異なるように設定されている。
【００３６】
これら回胴２０ａ〜２０ｃの上方には、遊技全体の制御を司る主制御基板２００（図５参照）が格納された主制御基板ユニット１１０と、各回胴を駆動するための回胴基板２６０（図５参照）が格納された回胴基板ユニット１１１が設けられている。回胴２０ａ、２０ｂ、２０ｃの下方には、リアスピーカ１１４が設けられ、更にその下方には、投入された遊技メダルが集められるタンク１１６や、遊技メダルを払い出すメダル払出装置１１８、遊技機１全体に電源を供給するための電源基板２８０（図５参照）が格納された電源ユニット１２０などが搭載されている。メダル払出装置１１８の排出口１１９から払い出された遊技メダルは、コインシュータ１０８を通って、遊技メダル払出口５０から払い出されるようになっている。また、電源ユニット１２０の前面には、遊技機１の電源を投入するための電源スイッチ１２０ｓも設けられている。
【００３７】
次に、メダル移送装置について図３〜図５に基づいて説明する。図３は、メダル移送装置の外観を示す斜視図である。なお、図３では、便宜上、操作部２ｍｂ上面について模式的に図示している。また、図３、図５では、遊技メダルを斜線で示している。
【００３８】
メダル移送装置１３０は、遊技者が投入した遊技メダルをメダルセレクタ１０６へと移送するためのメダル移送手段を構成している。本実施例のメダル移送装置１３０は、操作部２ｍｂの上面からその構成の一部を露出させる構成としている。
【００３９】
本実施例のメダル移送装置１３０は、筐体３外部と、筐体３内部のメダルセレクタ１０６（投入センサ３００〜３０２）との間の連通を遮断するように配置された円柱状の移送部材１３１、操作部２ｍｂの上面に対して並行方向（水平方向）に延びるとともに、移送部材１３１に連結されて移送部材１３１を回転可能に支持する回転軸１３２、回転軸１３２を介して移送部材１３１を回転駆動する移送用モータ１３３等を備えている。なお、本実施例では、移送部材１３１が遊技メダルを移送する移送部を構成するとともに、回転軸１３２および移送用モータ１３３が移送部１３１を回転させる回転機構部を構成している。
【００４０】
移送部材１３１は、その外周部（胴部）がメダルセレクタ１０６のセレクタ入口部１０６ａと筐体３外部との連通を遮断するように配置されている。従って、遊技機１は、移送部材１３１に不正用器具等の異物を直接挿入しても、メダルセレクタ１０６内部までその異物が到達不可能な構成となっている。
【００４１】
移送部材１３１には、その外周部（胴部）に遊技メダルが挿入可能な開口部１３１ｂを有する有底状の凹部１３１ａが複数形成されており、各凹部１３１ａ内に一枚の遊技メダルを挿入可能となっている。本実施例の移送部材１３１は、外周部の一部が操作面２ｍｂの上面から露出するように（筐体３外部から視認可能なように）配置されている。そして、移送部材１３１の凹部１３１ａの開口部１３１ｂを操作面２ｍｂの上面から露出させている状態で、遊技者が遊技メダルを直接開口部１３１ｂに投入可能な構成としている。
【００４２】
メダル移送装置１３０の移送部材１３１の詳細について図４に基づいて説明する。図４（ａ）は移送部材の正面図を示し、図４（ｂ）は図４（ａ）のＡ−Ａ断面図を示している。
【００４３】
図４に示すように、移送部材１３１には、遊技メダルが挿入可能な有底状の凹部１３１ａが外周部の周回りに４５°間隔をあけて８つ形成されており、各凹部１３１ａの開口部１３１ｂに遊技メダルを１枚ずつ挿入可能となっている。
【００４４】
各凹部１３１ａの開口部１３１ｂは、移送部材１３１の回転軸１３２の軸方向に沿ってスリット状に形成されている。この開口部１３１ｂは、１枚の遊技メダルを挿入（投入）可能なように、長手方向の長さが遊技メダルの直径の規格寸法と同程度、厚さ方向の長さが遊技メダルの厚さの規格寸法と同程度となるように形成されている。
【００４５】
また、凹部１３１ａは、遊技メダルを挿入（投入）した際に、遊技メダルの側面部分が当接する底面部１３１ｃ、遊技メダルの表面及び裏面が当接する側面部１３１ｄにより有底状に形成されている。そして、凹部１３１ａの内部空間（底面部１３１ｃと側面部１３１ｄで囲まれる空間）は、遊技メダル全体が収納可能な大きさに形成されている。
【００４６】
移送部材１３１は、回転軸１３２を中心として回転することで、外周部の凹部１３１ａが、外周部の上端（上方）と下端（下方）とに行き来する。このため、移送部材１３１は、回転することで、凹部１３１ａの開口部１３１ｂが筐体３外部に露出して、遊技者が遊技メダルを凹部１３１ａの開口部１３１ｂに挿入可能な挿入位置と、メダルセレクタ１０６のセレクタ入口部１０６ａ（投入センサ３００〜３０２）と連通して凹部１３１ａ内の遊技メダルをセレクタ入口部１０６ａ側に移送可能な移送位置とに変位可能に構成されている。
【００４７】
ここで、具体的な移送部材１３１の凹部１３１ａの開口部１３１ｂについて図５に基づいて説明する。図５（ａ）は凹部１３１ａが挿入位置に位置する場合を示し、図５（ｂ）は凹部１３１ａが移送位置に位置する場合を示している。なお、図５（ａ）、（ｂ）では、それぞれ左側が移送部材１３１の正面図を示し、右側が移送部材１３１の側面図を示している。また、図５（ａ）、（ｂ）では、説明の便宜のため、複数の凹部１３１ａのうち特定の１つのみを示し、図中の点線が凹部１３１ａの内部を示している。
【００４８】
移送部材１３１の凹部１３１ａが挿入位置に位置する状態（挿入状態）は、図５（ａ）に示すように、筐体３外部と移送部材１３１の凹部１３１ａの開口部１３１ｂとが連通する状態、すなわち、操作部２ｍｂ上面から移送部材１３１の凹部１３１ａの開口部１３１ｂが露出する状態である。このため、凹部１３１ａが挿入位置に位置する際には、凹部１３１ａの開口部１３１ｂが上方に向かって開口し、遊技者が直接移送部材１３１の凹部１３１ａの開口部１３１ｂに遊技メダルを挿入可能となっている。
【００４９】
また、移送部材１３１の凹部１３１ａが移送位置に位置する状態（移送状態）は、図５（ｂ）に示すように、凹部１３１ａの開口部１３１ｂとメダルセレクタ１０６のセレクタ入口部１０６ａ（投入センサ３００〜３０２）とが連通する状態である。つまり、凹部１３１ａが、移送位置に位置する際には、凹部１３１ａに挿入された遊技メダルが、自重によって、メダルセレクタ１０６のセレクタ入口部１０６ａに落下する（投入センサ３００〜３０２側に遊技メダルを移送する）こととなる。
【００５０】
ここで、移送部材１３１の凹部１３１ａは有底状であるため、凹部１３１ａが上述の挿入位置、移送位置のいずれに位置する状態であっても、移送部材１３１によって、筐体３外部と筐体３内部のセレクタ入口部１０６ａとの連通を遮断することができる。つまり、遊技メダルを収容した凹部１３１ａが移送位置に位置するときであっても、他の凹部１３１ａが操作部２ｍｂ上面に露出しており（挿入位置に位置しており）、他の凹部１３１ａにより、筐体３外部と筐体３内部のセレクタ入口部１０６ａを遮断できる構成となっている。
【００５１】
移送用モータ１３３は、回転軸１３２を介して移送部材１３１を回転駆動させる駆動手段を構成している。この移送用モータ１３３は、移送部材１３１を回転させることで、移送部材１３１の凹部１３１ａの開口部１３１ｂに挿入された遊技メダルをメダルセレクタ１０６のセレクタ入口部１０６ａに移送可能に構成されている。具体的に移送用モータ１３３は、移送部材１３１の凹部１３１ａの開口部１３１ｂが、上述の挿入位置と移送位置とに変位可能なように移送部材１３１を回転させる。本実施例の移送用モータ１３３は、移送部材１３１を一方向のみの回転可能に構成されており、逆方向に回転しないようになっている。
【００５２】
この移送用モータ１３３としては、例えばステッピングモータを用いることができる。この場合、移送用モータ１３３は、駆動回路（図示略）からの駆動パルスによってステップ的に回転制御される。移送用モータ１３３の回転制御は、遊技者によるメダル移送ボタン３９（図１、８参照）の操作を契機として、後述する扉基板２４０を介して行われる。
【００５３】
次に、メダルセレクタ１０６の詳細について説明する。図６は、メダルセレクタ１０６の側面図である。図６では、遊技メダルを斜線で示している。図６に示すように、メダルセレクタ１０６には、遊技メダルの流れ方向上流側から順に、セレクタ入口部１０６ａ、メダルレール１０６ｂ、ゲージローラ１０６ｃ、投入センサ３００、３０１、３０２、通路切替ゲート１０６ｄ等が設けられている。ここで、セレクタ入口部１０６ａは、メダルセレクタ１０６内部に遊技メダルを導くための開口であり、上方の移送部材１３０に向かって開口している。なお、図６では図示を省略しているが、メダルレール１０６ｂ、ゲージローラ１０６ｃの紙面手前側には、セレクタドアが設けられている。メダル移送装置１３０を介してセレクタ入口部１０６ａに移送された遊技メダルは、ゲージローラ１０６ｃおよびセレクタドアによって支えられ、メダルレール１０６ｂ→投入センサ３００、３０１、３０２の順に通過する。
【００５４】
メダルレール１０６ｂとゲージローラ１０６ｃの間は、規格寸法の遊技メダルが通過可能になっている。このため、規格寸法より大きい遊技メダルが投入された場合には、ゲージローラ１０６ｃによりメダルレール１０６ｂで詰まる。この場合には、返却ボタン４２を操作することで、セレクタドアが開き、詰まった遊技メダルは排出口１１９を介して遊技メダル払出口５０から払い出され、受け皿５２に返却される。そして、規格寸法より小さい遊技メダルが投入された場合には、ゲージローラ１０６ｃにより支えられないため、メダルレール１０６ｂを通過中に外れ落ち、遊技メダル払出口５０から受け皿５２に返却される。このように、規定寸法の遊技メダルのみが投入センサ３００、３０１、３０２に供給される。
【００５５】
投入センサ３００、３０１、３０２は、遊技メダルの通過を検知するメダル検知手段を構成している。本実施例では、メダルセレクタ１０６内に３つの投入センサ３００、３０１、３０２が設けられており、遊技メダルの通過を３つのセンサで検知可能としている。図７は、遊技メダルの通過を検知した際の第１投入センサ３００、第２投入センサ３０１、第３投入センサ３０２の出力変化を示している。本実施例では、３つの投入センサ３００、３０１、３０２の信号の論理と通過時間ｔ１に基づいて遊技メダルの通過を測定するように構成されている。
【００５６】
図６に戻り、投入センサ３００、３０１、３０２を通過した遊技メダルは、通路切替ゲート１０６ｃに供給される。通路切替ゲート１０６ｃは、図示しない通路切替ソレノイドにより紙面手前側と紙面奥側に向かって移動可能となっている。タンク１１６が満タンでない場合には、通路切替ゲート１０６ｃが紙面手前側に突出しており、投入センサ３００、３０１、３０２を通過した遊技メダルは、通路切替ゲート１０６ｃ上を通過して、タンク１１６に供給される。一方、タンク１１６が満タンの場合には、通路切替ゲート１０６ｃが紙面奥側に移動しており、投入センサ３００、３０１、３０２を通過した遊技メダルは、通路切替ゲート１０６ｄ上を通過することができず、下方に落下して遊技メダル補助収納庫１１７に供給される。
【００５７】
図８は、本実施例に係る遊技機１の電気的構成を示す説明図である。図８に示すように、遊技機１には、主制御基板２００を中心として、サブ制御基板２２０、扉基板２４０、回胴基板２６０、電源基板２８０等がデータを通信可能に接続されて構成されている。
【００５８】
主制御基板２００は、遊技機１で行われる遊技全体の進行や演出を司る基板である。この主制御基板２００には、ＣＰＵ２００ａ、ＲＯＭ、ＲＡＭなどがバスによって互いにデータを通信可能に接続されて搭載されており、前面扉２に搭載された扉基板２４０から、スタートレバー３６が操作されたことを示す信号を受け取って、遊技制御処理を実行しながら、サブ制御基板２２０や、扉基板２４０、回胴基板２６０などに向かって制御コマンド（あるいは制御信号）を出力することにより、これら各種基板の動作を制御している。
【００５９】
サブ制御基板２２０も、上述した主制御基板２００と同様に、ＣＰＵや、ＲＯＭ、ＲＡＭなどがバスによって互いにデータを通信可能に接続されて構成されている。また、サブ制御基板２２０には、各種のランプ類１２や、各種のスピーカ１４、１１４、演出表示装置１０、回胴バックライト２０Ｌなどが接続されている。ここで回胴バックライト２０Ｌとは、各回胴２０ａ〜２０ｃの内部に設けられて、回胴の表面に描かれた図柄を裏側から照らすライトである。サブ制御基板２２０は、主制御基板２００から受け取った制御コマンドを解析して、各種ランプ類１２、各種スピーカ１４、１１４、演出表示装置１０、回胴バックライト２０Ｌにそれぞれ駆動信号を出力することにより、これらを用いた各種演出を行っている。
【００６０】
扉基板２４０には、前述したメダルセレクタ１０６や、貯留されている遊技メダルを投入するための各種投入ボタン３２、３４、メダルセレクタ１０６に遊技メダルを移送するためのメダル移送ボタン３９、メダル移送装置１３０の移送部材１３１を回転駆動するための移送用モータ１３３、回胴の回転を開始するためのスタートレバー３６、回転している回胴を停止させるための回胴停止ボタン３８ａ、３８ｂ、３８ｃ、貯留されている遊技メダルや投入された遊技メダルを払い出して遊技を終了するための精算ボタン４０、遊技の状態を表示する各種の表示パネル２２などが接続されている。また、扉基板２４０は、前述した主制御基板２００と、データを通信可能に接続されている。このため、前面扉２に設けられたスタートレバー３６や、回胴停止ボタン３８ａ〜３８ｃ、各種の投入ボタン３２、３４、精算ボタン４０などを操作すると、扉基板２４０を介して、その信号を主制御基板２００に供給することが可能となっている。また、メダルセレクタ１０６に設けられた投入センサ３００、３０１、３０２の出力も、扉基板２４０を介して主制御基板２００に供給されている。
【００６１】
回胴基板２６０には、３つの回胴２０ａ〜２０ｃをそれぞれ回転させるための回胴モータ２４ａ、２４ｂ、２４ｃと、それぞれの回胴の回転位置を検出するための回胴センサ２６ａ、２６ｂ、２６ｃが設けられている。回胴基板２６０は、回胴センサ２６ａ〜２６ｃによって、各回胴２０ａ〜２０ｃの回転位置を検出しながら、回胴モータ２４ａ〜２４ｃを駆動することにより、それぞれの回胴２０ａ〜２０ｃを、所望の回転位置で停止させることが可能となっている。本実施例の遊技機１では、回胴モータ２４ａ〜２４ｃには、いわゆるステッピングモータが使用されている。
【００６２】
また、メダル払出装置１１８は、中継基板２０１を介して、主制御基板２００に接続されており、主制御基板２００からの制御信号に基づいて、所定枚数の遊技メダルを払い出す動作を行う。メダル払出装置１１８には、払出装置満タン検知センサが設けられており、タンク１１６が満タンになった場合に、主制御基板２００に検知信号を出力するように構成されている。
【００６３】
また、これら各種制御基板、および基板で消費される電力は、電源基板２８０から供給されている。電源基板２８０には１００Ｖの交流電圧が供給されており、この電力を規定電圧の直流電圧に変換した後、それぞれの制御基板および基板に供給している。図８では、電源基板２８０から電力が供給される様子を破線の矢印で表している。
【００６４】
次に、回胴式遊技機１で行われる遊技の概要を説明する。遊技開始にあたって、遊技メダル投入口３０から遊技メダルを投入して、メダルのベットを行う。ベットする遊技メダル数は、通常、１枚または３枚に固定されている。遊技メダルがクレジットとして予め内部に貯留されている場合は、一枚投入ボタン３２、あるいは三枚投入ボタン３４を押すことにより、それぞれ１枚または３枚の遊技メダルをベットすることも可能である。
【００６５】
遊技メダルをベットして、スタートレバー３６を操作すると、３つの回胴２０ａ〜２０ｃが一斉に回転を開始する。それぞれの回胴２０ａ〜２０ｃの外周面には複数の図柄が描かれているため、回胴２０ａ〜２０ｃが回転すると、これら図柄が変動表示されることになる。また、前面扉２の前面側には、それぞれの回胴に対応して３つの回胴停止ボタン３８ａ〜３８ｃが設けられている（図１参照）。回胴２０ａ〜２０ｃの回転中に回胴停止ボタン３８ａ〜３８ｃを押すと、押したボタンに対応する回胴が回転を停止し、これに伴って、変動表示されていた図柄がいずれかの図柄で停止表示される。このようにして、３つの回胴２０ａ〜２０ｃの回転を停止させると、それぞれの回胴でいずれかの図柄が停止表示される。
【００６６】
表示窓２０の大きさは、各回胴２０ａ〜２０ｃあたり３つずつの図柄が表示される大きさに設定されている。このため、３つの回胴２０ａ〜２０ｃが停止表示されると、表示窓２０には、縦横３列ずつ、合計９つの図柄が表示されるようになっている。これら９つの図柄が表示される位置には、複数本の入賞ラインが予め設定されている。本実施例では、水平な３本の入賞ラインと、斜めの２本の入賞ラインからなる合計５本の入賞ラインが設定されている。遊技メダルを１枚だけベットした場合には水平方向中段の入賞ラインだけが有効になり、遊技メダルを３枚ベットした場合には５本全部の入賞ラインが有効になる。そして、３つの回胴２０ａ〜２０ｃが停止すると、有効な入賞ライン上には、何らかの図柄組合せが得られることとなる。
【００６７】
そして、有効な入賞ライン上で揃った図柄組合せがいずれかの遊技役を成立させる図柄組合せだった場合には、成立した遊技役に応じた特典が遊技者に付与される。本実施例の遊技機１では、遊技役として、ビッグボーナス役（ＢＢ役）、ベルの小役、スイカの小役、チェリーの小役、再遊技役（リプレイ）が設定されている。
【００６８】
ＢＢ役は、３つの回胴２０ａ〜２０ｃのすべてが「７」の図柄で揃った場合に成立する。ＢＢ役の成立により、ビッグボーナス遊技の開始という特典が遊技者に付与される。ビッグボーナスとは、複数回のゲームに渡って継続される特殊な遊技状態である。ベルの小役は、３つの回胴２０ａ〜２０ｃが「ベル」の図柄を含む所定の組合せとなった場合に成立し、１５枚の遊技メダルが払い出される。スイカの小役は、３つの回胴２０ａ〜２０ｃのすべてが「スイカ」の図柄で揃った場合に成立し、６枚の遊技メダルが払い出される。チェリーの小役は、左回胴２０ａの図柄が「チェリー」の図柄となった場合に成立し、２枚の遊技メダルが払い出される。再遊技役（リプレイ）は、３つの回胴２０ａ〜２０ｃがいずれも「再遊技」の図柄で揃った場合に成立し、新たな遊技メダルをベットすることなく、再度遊技を行う権利が付与される。
【００６９】
次に、メダル移送装置１３０の作動について図９に基づいて説明する。図９は、メダル移送装置１３０によるメダルセレクタ１０６への遊技メダルの移送を説明する説明図である。なお、図９（ａ）〜（ｃ）では、それぞれ左側が移送部材１３１の正面図を示し、右側が移送部材１３１の側面図を示している。また、図９（ａ）〜図９（ｃ）では、説明の便宜のため、複数の凹部１３１ａのうち特定の１つを図示し、他を省略している。図中の点線が凹部１３１ａの内部を示している。
【００７０】
図９（ａ）に示すように、凹部１３１ａが挿入位置（凹部１３１ａの開口部１３１ｂが操作部２ｍｂ上面から露出している位置）に位置するときには、遊技者が移送部材１３１の凹部１３１ａの開口部１３１ｂに直接遊技メダルを投入可能な状態となる。そして、図９（ｂ）に示すように、遊技者によって移送部材１３１の凹部１３１ａ内に遊技メダルが投入され、遊技メダルは、移送部材１３１の凹部１３１ａ内に収容される。
【００７１】
遊技メダルを凹部１３１ａに収容した状態で、移送部材１３１に隣接するメダル移送ボタン３９を遊技者が操作すると、図９（ｃ）に示すように、移送部材１３１を回転させて、凹部１３１ａを挿入位置から、メダルセレクタ１０６のセレクタ入口部１０６ａに連通する移送位置へと変位させる。これにより、移送部材１３１は、凹部１３１ａ内に遊技メダルを収容したまま１８０°回転し、凹部１３１ａの開口部１３１ｂが移送部材１３１の外周部の上端（上方）から下端（下方）に移行する。凹部１３１ａが移送位置に到達すると、凹部１３１ａに収容された遊技メダルが、その自重によって下方に落下して、メダルセレクタ１０６のセレクタ入口部１０６ａ側に移送される。なお、このとき、他の凹部１３１ａが挿入位置へと変位することとなる。
【００７２】
そして、凹部１３１ａ内の遊技メダルをメダルセレクタ１０６のセレクタ入口部１０６ａに移送した後は、挿入位置に位置する他の凹部１３１ａに新たな遊技メダルが挿入されて、メダル移送ボタン３９が遊技者によって操作されることで、移送部材１３１を再度１８０°回転させる。これにより、今度は他の凹部１３１ａが挿入位置から移送位置に変位する。このように、複数の凹部１３１ａが挿入位置から移送位置、又は、移送位置から挿入位置に順次変位することで、遊技者は複数枚の遊技メダルを遊技機１の筐体３内部に投入可能となる。
【００７３】
なお、本実施例では、移送部材１３１を回転させていずれかの凹部１３１ａが移送位置に到達してから、次に移送部材１３１の回転を回転させるまでに、予め定めた時間（本実施例では１秒）だけ移送部材１３１ａを回転不能な状態（メダル移送ボタン３９を無効化した状態）にすることとしている。これは、凹部１３１ａに収容された遊技メダルをセレクタ入口部１０６ａに確実に移送した後に、次の遊技メダルの投入を許可するためである。
【００７４】
以上説明した本実施例によれば、移送部材１３１が筐体３外部と筐体３内部のセレクタ入口部１０６ａとの連通を遮断した状態で、凹部１３１ａが挿入位置から移送位置、又は、移送位置から挿入位置へと変位する。このため、筐体３外部とセレクタ入口部１０６ａとの連通を遮断するように配置された移送部材１３１を回転させることで、筐体３外部とセレクタ入口部１０６ａとの連通を遮断した状態で、投入されたメダルをセレクタ入口部１０６ａに移送することができる。
【００７５】
これにより、遊技者がメダル投入部（移送部材１３１の凹部１３１ａ）から長板状の不正用器具を挿入しようとしても、不正用器具を物理的に投入センサ３００、３０１、３０２まで到達させることができない。従って、不正用器具を用いてメダルセレクタ１０６内の投入センサ３００、３０１、３０２の誤検知を誘発させるといった不正行為を防止することができる。
【００７６】
ここで、移送部材１３１を逆回転可能に構成した場合、柔軟に変形可能な材料にて構成された不正用器具を移送部材１３１の凹部１３１ａに挿入し、移送部材１３１とともに一方向に回転させた後、移送部材１３１を逆回転させると、不正用器具を移送部材１３１の凹部１３１ａから回収することができてしまう。例えば、不正用器具としてコインに細長い紐を装着した不正用コインを、移送部材１３１の凹部１３１ａに挿入し、移送部材１３１を挿入状態から移送状態に移行させると、一旦不正用コインを投入センサ３００、３０１、３０２まで到達させることができる。その後、紐を引っ張り、移送部材１３１を逆回転させることで、不正用コインを回収できてしまう。
【００７７】
しかしながら、本実施例のメダル移送装置１３０は、移送部材１３１を一方向に回転可能に構成しているので、不正用器具（不正用コイン等）を移送部材１３１の凹部１３１ａに挿入して移送部材１３１とともに回転させると、不正用器具が移送部材１３１に絡まり、不正用器具を凹部１３１ａから回収することが困難となる。その結果、より確実に不正行為を防止することができる。
【００７８】
また、本実施例の移送部材１３１は、凹部１３１ａが挿入位置に位置した際に、凹部１３１ａの開口部１３１ｂが筐体３外部から視認可能なように配置し、遊技者が凹部１３１ａの開口部１３１ｂに直接遊技メダルを投入可能に構成している。
【００７９】
これによれば、遊技者に対して筐体３外部と筐体３内部の投入センサ３００〜３０２との間の連通が遮断されていること（不正用器具の挿入が物理的に不可能であると）を一目で認識させることができ、不正行為の実施を早期に断念させることが期待できる。
【００８０】
また、上記実施例では、遊技メダルが１枚ずつセレクタ入口部１０６ａに移送されるため、遊技の進行速度が従来に比べて鈍足化することが懸念されるが、遊技の進行速度を向上させるために、次のような構成を付加することとしてもよい。すなわち、１回の遊技を開始するために使用する遊技メダルの規定数である３枚の遊技メダルを、移送部材１３１の一度の移送動作でセレクタ入口部１０６ａに移送可能にするために、移送部材１３１に設けられる複数の凹部１３１ａのうち、規定数に対応する凹部１３１ａ（３つの凹部１３１ａ）を操作部２ｍｂ上面に露出する構成とする。これにより、３つの凹部１３１ａの各々に遊技メダルを１枚ずつ挿入することが可能になる。そして、各凹部１３１ａに遊技メダルを挿入した状態で移送部材１３１を回転駆動させれば、移送部材１３１の一度の移送動作で規定数の遊技メダルの投入が可能となる。
【００８１】
なお、このような構成にする場合には、移送部材１３１の回転を次のように行うのが望ましい。すなわち、メダル移送ボタン３９の操作後（移送部材１３１の回転開始後）に、遊技メダルが挿入された３つの凹部１３１ａのうち、セレクタ入口部１０６ａの直近の凹部１３１ａが移送位置に到達したときに所定時間（本実施例では１秒）だけ移送部材１３１の回転を一時停止させる（１枚目の遊技メダル移送）。そして、所定時間経過後に、次の凹部１３１ａが移送位置に到達するまで移送部材１３１を回転させ、移送位置到達後は再度所定時間だけ一時停止させる（２枚目の遊技メダル移送）。その後は、同様に、次の凹部１３１ａが移送位置に到達するまで移送部材１３１を回転させ、移送位置到達後に再度所定時間だけ一時停止させ（３枚目の遊技メダル移送）移送動作を完了する。こうすれば、上記移送部材を設けた遊技機において、規定数の遊技メダルを一度の移送動作でセレクタ入口部１０６ａに確実に移送することができる。
【００８２】
（第２実施例）
次に、本発明の第２実施例について図１０〜図１３に基づいて説明する。上記第１実施例と同様または均等な部分について同一の符号を付し、その説明を省略する。ここで、図１０は、本実施例の遊技機の正面図であり、図１１は、本実施例のメダル移送装置を示す斜視図である。なお、説明の便宜のため、図１１には遊技メダル投入口３０、操作部２ｍｂの上面を模式的に図示している。
【００８３】
本実施例の遊技機１は、筐体３内部にメダル移送装置１３０を配置する構成としている。
【００８４】
図１０に示すように、本実施例の操作部２ｍｂの上面には、遊技メダルを投入するためのメダル投入部として遊技メダル投入口３０が設けられており、この遊技メダル投入口３０は筐体３外部に対して開口している。そして、メダル移送装置１３０は、移送部材１３１を含めて筐体３内部に配置されている。換言すれば、本実施例のメダル移送装置１３０は、筐体３内部に配置されて筐体３外部から視認できない構成としている。
【００８５】
具体的には、図１１に示すように、メダル移送装置１３０は、移送部材１３１が、遊技メダル投入口３０の下方に配置されており、メダル投入口３０とメダルセレクタ１０６のセレクタ入口部１０６ａとの間の連通を遮断するように配置されている。そのため、遊技メダル投入口３０から投入された遊技メダルは、メダル移送装置１３０を介してメダルセレクタ１０６へと移送される。
【００８６】
ここで、本実施例のメダル移送装置１３０の移送部材１３１について図１２に基づいて説明する。図１２（ａ）は、本実施例の移送部材の正面図であり、図１２（ｂ）は図１２（ａ）のＢ−Ｂ断面図である。
【００８７】
図１２に示すように、本実施例の移送部材１３１は、遊技メダルの直径以上の半径の球体で構成しており、移送部材１３１における球中心部を貫くように連結された回転軸１３２によって回転可能に支持されている。本実施例の移送部材１３１には、外周部の周回りに９０°間隔をあけて４つの有底状の凹部１３１ａが形成されている。そのため、移送部材１３１は、１回転毎に４枚の遊技メダルをメダルセレクタ１０６に移送可能となっている。
【００８８】
次に、本実施例のメダル移送装置１３０の作動について図１３に基づいて説明する。図１３は、メダル移送装置１３０によるメダルセレクタ１０６への遊技メダルの移送を説明する説明図である。なお、図１３（ａ）〜図１３（ｃ）では、それぞれ左側が移送部材１３１の正面図を示し、右側が移送部材１３１の側面図を示している。また、図１３（ａ）〜図１３（ｃ）では、説明の便宜のため、複数の凹部１３１ａのうち特定の１つに挿入された遊技メダルの流れを示している。図中の点線が凹部１３１ａの内部を示している。
【００８９】
図１３（ａ）に示すように、メダル移送装置１３０の移送部材１３１の凹部１３１ａが挿入位置に位置する際に、遊技メダル投入口３０から遊技メダルが投入される。そして、遊技メダル投入口３０から投入された遊技メダルは、移送部材１３１の凹部１３１ａ内に収容される。
【００９０】
遊技メダルを凹部１３１ａに収容した状態で、移送部材１３１に隣接するメダル移送ボタン３９を操作すると、図１３（ｂ）に示すように、移送部材１３１を回転させて、凹部１３１ａを挿入位置から、メダルセレクタ１０６のセレクタ入口部１０６ａに連通する移送位置へと変位させる。これにより、移送部材１３１は、凹部１３１ａ内に遊技メダルを収容したまま１８０°回転する。凹部１３１ａが移送位置に到達すると、図１３（ｃ）に示すように、凹部１３１ａに収容された遊技メダルが、その自重によって下方に落下して、メダルセレクタ１０６のセレクタ入口部１０６ａ側に移送される。なお、このとき、他の凹部１３１ａが挿入位置へと変位することとなる。
【００９１】
そして、凹部１３１ａ内の遊技メダルをメダルセレクタ１０６のセレクタ入口部１０６ａに移送した後は、挿入位置に位置する他の凹部１３１ａに新たな遊技メダルが挿入されて、メダル移送ボタン３９が遊技者によって操作されることで、移送部材１３１を再度１８０°回転させる。これにより、今度は他の凹部１３１ａが挿入位置から移送位置に変位する。
【００９２】
以上説明した本実施例によっても、メダル移送装置１３０の移送部材１３１を回転させることで、筐体３外部と、筐体３内部のセレクタ入口部１０６ａとの連通を遮断したままセレクタ入口部１０６ａに遊技メダルを移送することができる。従って、第１実施例の構成の効果と同様に、不正用器具を筐体３内部に挿入して不正に遊技を行う不正行為を防止することができる。
【００９３】
また、本実施例のメダル移送装置１３０は、筐体３内部に配置する構成であるため、遊技機１の遊技機の外観変更によって、遊技者が視覚的な違和感を抱いてしまうことを抑制することができる。
【００９４】
（他の実施形態）
以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。例えば、以下のように種々変型可能である。
【００９５】
（１）上記各実施例では、移送部材１３１の外周部に複数の凹部１３１ａを設ける構成としているが、移送部材１３１に１つの凹部１３１ａを設ける構成としてもよい。また、１つの凹部１３１ａに遊技メダル１枚挿入可能としているが、これに限らず、１つの凹部１３１ａに遊技メダルを複数枚挿入可能な構成としてもよい。これにより、遊技メダルの移送効率をより向上させることができる。
【００９６】
（２）上記各実施例では、遊技者が遊技メダル移送ボタンを操作することで、移送用モータ１３３がメダル移送装置１３０の移送部材１３１を回転させる回転機構を採用しているが、これに限定されるものでない。例えば、移送部材１３１の凹部１３１ａ内に遊技メダルが挿入されているか否かを検出するメダル挿入検知センサを設けて、このメダル挿入検知センサにて遊技メダルが検知された場合に回転する構成してもよい。また、移送部材１３１の回転軸１３２を移送部材１３１の中心から偏心させることで、遊技メダルの挿入時の反動やその自重により回転させる構成としてもよい。
【００９７】
（３）また、上記第１実施例のように、移送部材１３１の一部を遊技者から視認可能なように配置する構成とする場合、遊技者が直接移送部材１３１を回転させることも可能である。この場合、移送用モータ１３３を廃して、遊技者が直接移送部材１３１を回転させる構成としてもよい。
【００９８】
（４）上記各実施形態では、移送部材１３１を円柱状の部材、球体で構成しているが、これに限定されるものではない。筐体３外部とメダルセレクタ１０６のセレクタ入口部１０６ａ側（投入センサ３００、３０１、３０２側）との間が直接連通しないように配置可能であれば他の形状としてもよい。
【符号の説明】
【００９９】
１…回胴式遊技機、３…筐体、１０６…メダルセレクタ、１０６ａ…セレクタ入口部（流下部の入口）、１３０…メダル移送装置、１３１…移送部材（移送部）、１３１ａ…凹部、１３１ｂ…開口部、３００、３０１、３０２…投入センサ（検知部）。
【図１】
2010268946.tif 000003
【図２】
2010268946.tif 000004
【図３】
2010268946.tif 000005
【図４】
2010268946.tif 000006
【図５】
2010268946.tif 000007
【図６】
2010268946.tif 000008
【図７】
2010268946.tif 000009
【図８】
2010268946.tif 000010
【図９】
2010268946.tif 000011
【図１０】
2010268946.tif 000012
【図１１】
2010268946.tif 000013
【図１２】
2010268946.tif 000014
【図１３】
2010268946.tif 000015